【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
一又は複数のベンゾオキサジン化合物を製造するための方法において、少なくとも１個の第１級アミノ基を含む芳香族アミンを、アルキルホルムセルと、−ＯＨ基に対してオルト位に少なくとも１個の水素を含む少なくとも一つのフェノール化合物とに反応させることを含む方法。
【請求項２】
芳香族アミンが、式Ｉ、ＩＩ及びＩＩＩ：
2017537182.tif 000001
｛上式中、ａ＝１又は２；ｂ＝０〜５０であり；
式ＩＩＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；ＺはＨ又はＮＨ２であり；Ｒ５、Ｒ６、Ｒ７及びＲ８は、同一か又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６は一緒になって、及び／又はＲ７とＲ８が一緒になって、環中にＯ、Ｎ又はＳ原子を含んでいてもよい飽和又は不飽和縮合炭素環の一部であり；
式ＩＩにおいて、ａ＝１の場合、Ｘは式ＩＩＩに対して定義した通りであり、ａ＝２の場合、Ｘは次のもの：
2017537182.tif 000002
の一つである｝によって表される構造から選択される、請求項１に記載の方法。
【請求項３】
フェノールが、次の式ＩＶ、Ｖ及びＶＩ：
2017537182.tif 000003
｛上式中、ａ＝１又は２；ｂ＝０〜５０であり；
式ＶＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；Ｚ’はＨ又はＯＨであり；Ｒ５、Ｒ６、Ｒ７及びＲ８は、同一か及び／又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６及び／又はＲ７とＲ８は一緒になって、環中にＯ、Ｎ又はＳ原子を含んでいてもよい飽和又は不飽和の縮合炭素環の一部であり；但し、各フェノール性ＯＨは、芳香環に少なくとも１個のオルト水素を有し；
式Ｖにおいて、ａ＝１の場合、Ｘは式ＶＩに対して定義した通りであり、ａ＝２の場合、Ｘは次のもの：
2017537182.tif 000004
の一つである｝によって表される構造から選択される、請求項１又は２に記載の方法。
【請求項４】
（ｉ）芳香族アミンをアルキルホルムセルと反応させてアルコキシメチル中間体を生成させ、ついで（ｉｉ）アルコキシメチル中間体をフェノール化合物と更に反応させて、ベンゾオキサジン化合物を含む反応生成物を形成することを含む、請求項１から３の何れか一項に記載の方法。
【請求項５】
アルコキシメチル中間体が式ＶＩＩ：
2017537182.tif 000005
（上式中、ｘ＝０〜１０及びｙ＝１〜１０であり；好ましくはｘ＝０〜５及びｙ＝１〜５であり；より好ましくはｘ＝０〜２及びｙ＝１〜３であり；Ｒ’＝Ｈ又はＲ；Ｒ＝Ｃ１〜Ｃ１２直鎖、分枝鎖、非環式又は環式の飽和又は不飽和基；Ａｒは、式Ｉ、ＩＩ又はＩＩＩのアミンの芳香族残基部分である）によって表される、請求項４に記載の方法。
【請求項６】
前記反応の反応が、芳香族アミン、アルキルホルムセル、及びフェノール化合物を混合し、ついで得られた混合物を加熱することによって実施される、請求項１から３の何れか一項に記載の方法。
【請求項７】
アルキルホルムセルがＲＯＣＨ２ＯＨを含み、ＲがＣ１〜Ｃ１２の直鎖、分枝鎖、非環式又は環式の飽和又は不飽和ヒドロカルビル基から選択され、好ましくはＲ＝Ｃ１〜Ｃ４アルキル基である、請求項１から６の何れか一項に記載の方法。
【請求項８】
フェノール化合物が
2017537182.tif 000006
2017537182.tif 000007
2017537182.tif 000008
2017537182.tif 000009
2017537182.tif 000010
2017537182.tif 000011
2017537182.tif 000012
2017537182.tif 000013
2017537182.tif 000014
2017537182.tif 000015
2017537182.tif 000016
2017537182.tif 000017
（上式中、ｎ＝１〜５０）
から選択される、請求項１から７の何れか一項に記載の方法。
【請求項９】
アミン化合物が
2017537182.tif 000018
2017537182.tif 000019
2017537182.tif 000020
2017537182.tif 000021
2017537182.tif 000022
2017537182.tif 000023
2017537182.tif 000024
2017537182.tif 000025
2017537182.tif 000026
2017537182.tif 000027
2017537182.tif 000028
2017537182.tif 000029
から選択される、請求項１から８の何れか一項に記載の方法。
【請求項１０】
芳香族アミン、アルキルホルムセル、及びフェノールの相対量が、芳香族アミンの各モルに対して、約１．５〜約２０モル、又は約２〜約２０モル、又は約２〜約１０モルのアルキルホルムセルと、約０．８〜約１．２５モルの一価フェノール又は約０．４〜約０．６２５モルの二価フェノール（又はビスフェノール）が存在するような量である、請求項１から９の何れか一項に記載の方法。
【請求項１１】
フェノールとのアルコキシメチル中間体化合物の反応がバッチ法又は連続法で実施される、請求項４、５、７から１０の何れか一項に記載の方法。
【請求項１２】
反応がアルコール、ジアルキルケトン、脂肪族炭化水素、芳香族炭化水素、ジアルキルエーテル、環状エーテル及びそれらの組み合わせから選択される溶媒の存在下で実施される、請求項１から１１の何れか一項に記載の方法。
【請求項１３】
反応がメタノール、メチルエチルケトン、メチルイソブチルケトン、シクロヘキサノン、ジオキサン、テトラヒドロフラン、ｎ−ヘプタン、ｎ−オクタン、トルエン又はキシレンから選択される溶媒の存在下で実施される、請求項１から１２の何れか一項に記載の方法。
【請求項１４】
芳香族アミンをアルキルホルムセルと、アルコキシメチル中間体化合物又はアルコキシメチル中間体化合物の混合物を形成するように芳香族アミンを消費するのに十分な時間、反応させることを含む、合成方法。
【請求項１５】
芳香族アミンが、式Ｉ、ＩＩ及びＩＩＩ：
2017537182.tif 000030
｛上式中、ａ＝１又は２；ｂ＝０〜５０であり；
式ＩＩＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；ＺはＨ又はＮＨ２であり；Ｒ５、Ｒ６、Ｒ７及びＲ８は、同一か又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６は一緒になって、及び／又はＲ７とＲ８が一緒になって、環中にＯ、Ｎ又はＳ原子を含んでいてもよい飽和又は不飽和の縮合炭素環の一部であり；
式ＩＩにおいて、ａ＝１の場合、Ｘは式ＩＩＩに対して定義した通りであり、ａ＝２の場合、Ｘは次のもの：
2017537182.tif 000031
の一つである｝によって表される構造から選択され、
アルコキシメチル中間体化合物が、次の式：
2017537182.tif 000032
（上式中、ｘ＝０〜１０及びｙ＝１〜１０であり；好ましくはｘ＝０〜５及びｙ＝１〜５であり；より好ましくはｘ＝０〜２及びｙ＝１〜３であり；Ｒ’＝Ｈ又はＲであり；Ｒ＝Ｃ１〜Ｃ１２直鎖、分枝鎖、非環式又は環式の飽和又は不飽和基；Ａｒは、式Ｉ、ＩＩ又はＩＩＩのアミンの芳香残基部分である）によって表される、請求項１４に記載の合成方法。